(57)【特許請求の範囲】
【請求項１】
各種のデータを保存するメモリと、
現在時刻を計時する時計回路と、
公衆回線網に接続されるモデムと、
上記メモリに保存されているメッセージを、上記モデムを通じて、上記メモリに保存されているデータの示すアドレスに向けて送信するための制御回路と
を有し、
上記制御回路は、
上記時計回路が上記メモリに保存されている時刻になった場合に、電源がオンのときには、上記メッセージをディスプレイに表示し、
上記時計回路が上記メモリに保存されている時刻になった場合に、上記電源がオフのときには、この電源をオンにするように設定されているかどうかを判別し、
この判別の結果、オンにするように設定されているときには、上記電源をオンにしてから上記メッセージを上記ディスプレイに表示し、
上記判別の結果、オンにするように設定されていないときには、上記メッセージを転送するように設定されているかどうかを判別し、
このメッセージの転送の判別の結果、転送するように設定されているときには、上記メッセージを、上記モデムを通じて上記データの示すアドレスへ転送し、
上記メッセージの転送の判別の結果、転送するように設定されていないときには、処理を終了する
ようにされたテレビ受像機。
【請求項２】
請求項１に記載のテレビ受像機において、
上記アドレスが、電子メールのメールアドレスあるいはメッセージの表示機能を有する携帯機器の電話番号である
ようにされたテレビ受像機。
【発明の詳細な説明】
【０００１】
【発明の属する技術分野】
この発明は、テレビ受像機に関する。
【０００２】
【従来の技術】
テレビ受像機に、各種のメモや伝言などを登録できるようにしておき、その登録しておいたメモや伝言を、必要なときにテレビ画面に表示することが考えられている。そして、そのようにすると、例えば、帰宅したとき、家族が留守であっても、テレビ受像機の電源を入れたときに、メモが表示され、家族からの伝言を読むことができる。
【０００３】
また、タイマ機能も用意しておけば、スケジュール帳として利用することができる。例えば、「○○さんに電話をする」というメモを登録するとともに、このメモを××時に表示するように登録しておけば、××時になったとき、その「○○さんに電話をする」がテレビ画面に表示されるので、忘れずに○○さんに電話をすることができる。
【０００４】
したがって、上記のようなテレビ受像機は、情報機器としても便利に使用することができる。
【０００５】
なお、以下においては、各種のメモや伝言などの情報を「メッセージ」と呼ぶものとする。
【０００６】
【発明が解決しようとする課題】
ところが、上記のスケジュール帳の機能を活用しようとしても、例えばユーザが外出していて、メッセージを表示する時刻に、そのメッセージを見ることができないときには、スケジュールの内容を守ることができなくなってしまう。
【０００７】
この発明は、このような問題点を解決しようとするものである。
【０００８】
【課題を解決するための手段】
この発明においては、
各種のデータを保存するメモリと、
現在時刻を計時する時計回路と、
公衆回線網に接続されるモデムと、
上記メモリに保存されているメッセージを、上記モデムを通じて、上記メモリに保存されているデータの示すアドレスに向けて送信するための制御回路と
を有し、
上記制御回路は、
上記時計回路が上記メモリに保存されている時刻になった場合に、電源がオンのときには、上記メッセージをディスプレイに表示し、
上記時計回路が上記メモリに保存されている時刻になった場合に、上記電源がオフのときには、この電源をオンにするように設定されているかどうかを判別し、
この判別の結果、オンにするように設定されているときには、上記電源をオンにしてから上記メッセージを上記ディスプレイに表示し、
上記判別の結果、オンにするように設定されていないときには、上記メッセージを転送するように設定されているかどうかを判別し、
このメッセージの転送の判別の結果、転送するように設定されているときには、上記メッセージを、上記モデムを通じて上記データの示すアドレスへ転送し、
上記メッセージの転送の判別の結果、転送するように設定されていないときには、処理を終了する
ようにされたテレビ受像機
とするものである。
したがって、メッセージの表示時刻になると、そのメッセージがディスプレイに表示され、あるいは指定したアドレスへと送信される。
【０００９】
【発明の実施の形態】
図１において、符号１０は、この発明によるテレビ受像機の一例を示す。そして、テレビ放送の電波がアンテナ１１により受信され、その受信信号が受信回路１２に供給されて目的とするチャンネルが選択されるとともに、そのチャンネルのカラー映像信号が復調されて取り出される。そして、このカラー映像信号が、ビデオ回路１３に供給されて表示用のビデオ信号が色復調され、このビデオ信号が、ディスプレイ、例えばカラーＣＲＴ１４に供給される。したがって、ＣＲＴ１４には、目的とするチャンネルの画像が表示される。
【００１０】
さらに、テレビ受像機１０は、システム制御用のマイクロコンピュータ２１を有する。このマイクロコンピュータ２１は、図示はしないが、プログラムを実行するＣＰＵ、各種のプログラムの書き込まれたＲＯＭ、ワークエリア用のＲＡＭ、周辺回路および周辺機器との接続を行うポートなどを有する。
【００１１】
また、マイクロコンピュータ２１のＲＯＭには、例えば図２に示すメッセージ表示通知ルーチン１００が用意されている。このルーチン１００の詳細については、後述するが、ルーチン１００は、登録されているスケジュールにしたがってメッセージをユーザに通知するためのルーチンであり、例えば、１分ごとにＣＰＵにより実行される。
【００１２】
なお、図２においては、この発明に関係する部分だけを抜粋して示している。また、図示はしないが、マイクロコンピュータ２１のＲＯＭには、メッセージおよびそのスケジュールなどを登録するためのルーチンも用意されている。
【００１３】
そして、図１にも示すように、マイクロコンピュータ２１から受信回路１２およびビデオ回路１３に、各種の制御信号が供給されるとともに、後述するように、マイクロコンピュータ２１からビデオ回路１２に、メッセージおよびスケジュールなどの登録および表示に必要なビデオ信号が供給される。
【００１４】
さらに、マイクロコンピュータ２１には、例えば赤外線によるリモコン（遠隔操作）の受信回路２２が接続されるとともに、チャンネル切り換え、メッセージやスケジュールの登録などの操作を行うためのキーボードやポインティングデバイスなどの入力操作手段２３が接続される。なお、このとき、リモコンの受信回路２２に対応して赤外線によるリモコンの送信機２９が用意される。
【００１５】
また、マイクロコンピュータ２１には、メッセージおよびスケジュールのデータを記憶・保存するための不揮発性のメモリ、例えばフラッシュメモリ３１と、現在時刻を計時する時計回路３２とが接続される。さらに、マイクロコンピュータ２１には、モデム３３が接続されるとともに、このモデム３３は、公衆回線網（電話回線）４０に接続される。
【００１６】
一方、図３は、この発明において利用できるネットワークシステムの一例を示す。そして、この例においては、テレビ受像機１０に登録したメッセージを、ページャー５１、携帯電話５２、あるいは企業８０に配置されているパーソナルコンピュータ８３のどれかに転送する場合である。また、パーソナルコンピュータ８３に転送するときには、インターネット７０を利用する場合である。
【００１７】
そして、テレビ受像機１０は、上述のように、モデム３３を通じて公衆回線網４０に接続される。また、ＩＳＰ６０が、公衆回線網４０と、インターネット７０とに接続されている。
【００１８】
さらに、企業８０は、メインサーバー８１およびメールサーバー８２を有するとともに、そのメインサーバー８１はインターネット７０に接続されている。また、パーソナルコンピュータ８３はメインサーバー８１に接続されている。
【００１９】
このような構成において、それぞれの処理が以下のように行われる。
【００２０】
・メッセージおよびスケジュールの登録
これは、例えば、図４に示すように行われる。すなわち、例えば図４Ａに示すように、テレビ受像機１０で任意のテレビ番組を見ている場合に、入力操作手段２３あるいはリモコンの送信機２９において、所定の操作すると、テレビ受像機１０はメッセージおよびスケジュールの登録モードとなり、図４Ｂに示すように、ＣＲＴ１４の画面には、メッセージおよびスケジュールの登録画面が表示される。
【００２１】
この場合、この登録画面は、例えば図５に示すような項目および内容である。なお、以下の符号▲１▼〜▲７▼は、図５における符号▲１▼〜▲７▼と対応する。すなわち、図５の場合には、
▲１▼  登録したメッセージをテレビ受像機１０に表示するときの表示方法
「スクロール表示」、「一括表示」、「表示しない」から選択する。
▲２▼  表示をスクロール表示としたときのスクロール速度
「速い」、「普通」、「遅い」から選択する。
▲３▼  表示をするとき、その表示の開始時刻および表示期間
「１月２日１３時４５分から６０分間」のように各数字を入力する。
▲４▼  表示するメッセージの内容
「○○さんに電話をする」のように文字などを入力する。
▲５▼  表示の時刻になった場合に、テレビ受像機１０の電源がオフのときの処理方法
「電源をオンにする」、「転送する」、「何もしない」から選択する。
▲６▼  上記▲５▼項で「転送する」を選択したときの転送先のアドレス
この転送先のアドレスは、例えば、以下のとおりとされる。すなわち、
1.転送先が、インターネットに接続されたパーソナルコンピュータなどのように、電子メールの受信機能のあるときには、その電子メールのメールアドレス
sak@tv.$ony.co.jp のように入力する。
2.転送先が、ページャーなどのように、メッセージの表示機能はあるが、電子メールの受信機能のないときには、その転送先の携帯機器の電話番号
03-1234-567*のように入力する（図示せず）。
▲７▼  確認
▲１▼〜▲６▼項の選択あるいは入力結果の確認
各入力に間違いのないときには、チェックを入れる。
である。
【００２２】
そして、ユーザは、入力操作手段２３あるいはリモコンの送信機２９を操作することにより、それぞれの項目について、該当するものを選択するか、具体的な数字あるいは文字などを入力する。なお、この場合、例えば、▲１▼項で「表示しない」を選択したときには、▲２▼〜▲６▼項は入力の必要がなくなるが、このように入力を必要としない項目については、その項目は表示されない。
【００２３】
そして、以上の入力を終了して▲７▼項の確認をチェックすると、メッセージおよびスケジュールの登録を終了したことになり、▲１▼〜▲６▼項のデータのうち、有効なデータが、メモリ３１に保存される。そして、その後、テレビ受像機１０は通常モードに復帰し、その画面は例えば図４Ａに示すように、通常のテレビ画面となる。
【００２４】
・メッセージの表示および通知
これは、マイクロコンピュータ２１において、表示通知ルーチン１００が、以下のように実行されて実現される。なお、上述の登録モードによりメモリ３１にデータが保存されるとき、その内容は上述の▲１▼〜▲６▼項に対応するデータであるとする。また、▲６▼項のアドレスは、ページャー５１あるいは携帯電話５２の電話番号、あるいはパーソナルコンピュータ８３を使用するユーザのメールアドレスであるとする。
【００２５】
すなわち、ルーチン１００の処理はステップ１０１から開始され、次にステップ１０２において、メモリ３１に保存されているデータのうち、▲１▼項のデータをチェックすることにより、「スクロール表示」あるいは「一括表示」に設定されているかどうかが判別される。そして、どちらの表示方法でも表示をするようには設定されていないときには、処理はステップ１０２からステップ１０９に進み、このルーチン１００を終了する。
【００２６】
また、ステップ１０２において、どちらかの表示方法で表示をするように設定されているときには、処理はステップ１０２からステップ１０３に進む。そして、このステップ１０３において、メモリ３１に保存されているデータのうちの▲３▼項のデータと、時計回路３２の計時している現在時刻とを比較することにより、メッセージの表示開始時刻になったかどうかが判別される。そして、メッセージの表示開始時刻になっていないときには、処理はステップ１０３からステップ１０９に進み、このルーチン１００を終了する。
【００２７】
したがって、メッセージを表示するようには設定されていないとき、および表示するように設定されていても、その表示開始時刻になっていないときには、メッセージの表示は実行されない。
【００２８】
しかし、ステップ１０３において、メッセージの表示開始時刻になっているときには、処理はステップ１０３からステップ１０４に進む。そして、このステップ１０４において、受信回路１２およびビデオ回路１３の電源がオンとなってテレビ放送を見ることができる状態になっているかどうか、すなわち、テレビ受像機としての電源がオンになっているかどうかが判別される。
【００２９】
そして、テレビ受像機としての電源がオンになっているときには、処理はステップ１０４からステップ１０５に進み、このステップ１０５において、ビデオ回路１３が制御されてメッセージの表示モードとされるとともに、メモリ３１に保存されているデータのうち、▲４▼項のデータが取り出され、このデータがビデオ回路１３に供給される。こうして、ＣＲＴ１４の画面には、例えば図４Ｃに示すように、▲４▼項のデータによるメッセージ、例えば、「○○さんに電話をする」の表示が開始される。
【００３０】
ただし、この場合、メモリ３１に保存されているデータのうち、▲１▼項のデータにしたがって、メッセージの表示は、「スクロール表示」あるいは「一括表示」とされる。さらに、「スクロール表示」のときには、メモリ３１に保存されているデータのうちの▲２▼項のデータにしたがったスクロール速度とされる。
【００３１】
そして、メッセージの表示が開始されると、処理はステップ１０６に進み、このステップ１０６において、入力操作手段２３あるいはリモコンの送信機２９において、メッセージの表示を終了させる操作が行われたかどうかが判別される。そして、そのような操作が行われていないときには、処理はステップ１０６からステップ１０７に進み、このステップ１０７において、メモリ３１に保存されているデータのうち、▲３▼項のデータの示す表示期間が経過したかどうかが判別され、経過していないときには、処理はステップ１０７からステップ１０６に戻る。
【００３２】
したがって、メッセージの表示が開始されると、以後、その表示を終了させる操作がおこなわれるか、▲３▼項のデータの示す表示期間が経過するまで、メッセージの表示が続行されることになる。
【００３３】
そして、入力操作手段２３あるいはリモコンの送信機２９において、メッセージの表示を終了させる操作がおこなわれると、これがステップ１０６において判別され、処理はステップ１０６からステップ１０８に進む。あるいは、▲３▼項のデータの示す表示期間が経過すると、これがステップ１０７において判別され、処理はステップ１０７からステップ１０８に進む。
【００３４】
そして、ステップ１０８において、ビデオ回路１３が制御されて通常のテレビ画面の表示モードとされ、したがって、例えば図４Ａに示すように、ＣＲＴ１４には、テレビ放送が表示されるようになる。そして、その後、ステップ１０９によりルーチン１００を終了する。
【００３５】
こうして、設定しておいた表示開始時刻になった場合に、テレビ受信機としての電源がオンになっているときには、すなわち、テレビ放送などを見ているときには、その画面に、登録しておいたメッセージが表示されることになる。また、設定しておいた表示期間が経過すると、あるいはその表示期間が経過する前でも、所定の操作をすると、メッセージの表示を終了し、通常の表示モードとなる。
【００３６】
一方、ステップ１０４において、テレビ受像機としての電源がオフになっているときには、処理はステップ１０４からステップ１１１に進み、このステップ１１１において、メモリ３１に保存されているデータのうち、▲５▼項のデータが判別される。
【００３７】
そして、この▲５▼項のデータが「電源をオンにする」のときには、処理はステップ１１１からステップ１１２に進み、このステップ１１２において、テレビ受像機としての電源がオンとされ、すなわち、受信回路１２およびビデオ回路１３の電源がオンとされる。したがって、この時点からテレビ放送がＣＲＴ１４に表示されるようになる。
【００３８】
そして、処理はステップ１１２からステップ１０５に進み、このステップ１０５以降が実行される。したがって、以後、設定しておいた表示開始時刻になった場合に、テレビ受信機としての電源がオンになっているときと同様、ＣＲＴ１４の画面には、登録しておいたメッセージが表示されることになる。また、設定しておいた表示期間が経過すると、あるいはその表示期間が経過する前でも、所定の操作をすると、メッセージの表示を終了し、通常の表示モードとなる。
【００３９】
また、ステップ１１１において、メモリ３１に保存されているデータのうち、▲５▼項のデータが「電源をオンにする」ではないときには、処理はステップ１１１からステップ１２１に進む。そして、このステップ１２１において、メモリ３１に保存されているデータのうち、▲５▼項のデータが「転送する」であるかどうかが判別され、「転送する」のときには、処理はステップ１２１からステップ１２２に進む。
【００４０】
そして、このステップ１２２において、メモリ３１に保存されているデータのうち、▲６▼項のアドレスに向けて▲４▼項のメッセージが転送される。すなわち、▲６▼項のアドレスが電子メールのアドレスのときには、ＩＳＰ６０とのダイヤルアップ接続の処理が実行されてマイクロコンピュータ２１がモデム３３および公衆回線網４０を通じてＩＳＰ６０に接続され、その後、▲４▼項のメッセージのデータに、▲６▼項のメールアドレスが付加されて電子メールが形成され、この電子メールがＩＳＰ６０へと送信される。
【００４１】
したがって、この電子メールは、例えば、ＩＳＰ６０からインターネット７０を通じて企業８０のメールサーバー８２へと送られるので、ユーザがパーソナルコンピュータ８３において所定の操作をすれば、テレビ受像機１０から送信されてきた電子メール（メッセージ）を読むことができる。
【００４２】
また、▲６▼項のアドレスが転送先の電話番号のときには、モデム３３および公衆回線網４０を通じてその電話番号の相手、例えばページャー５１への発呼が実行され、ページャー５１と接続されると、▲４▼項のメッセージのデータがモデム３３によりＤＴＭＦ信号に変換されてから送信される。したがって、そのメッセージは、ページャー５１のディスプレイに表示され、ユーザは、テレビ受像機１０から送信されてきたメッセージを読むことができる。
【００４３】
そして、メッセージの送信が終了すると、処理はステップ１０９に進み、このルーチン１００を終了する。
【００４４】
さらに、ステップ１２１において、メモリ３１に保存されているデータのうち、▲５▼項のデータが「転送する」ではないときには、▲５▼項のデータは「何もしない」であるから、処理はステップ１２１からステップ１０９に進み、何もしないで、このルーチン１００を終了する。
【００４５】
・まとめ
図１のテレビ受像機１０および図２のルーチン１００によれば、テレビ受像機１０にメッセージを登録しておくと、あらかじめ設定した時刻になったとき、そのメッセージをテレビ受像機１０に表示することができる。
【００４６】
また、ユーザが、テレビ受像機１０に登録しておいたメッセージを、設定しておいた時刻に見ることができない場所にいるときでも、そのメッセージがあらかじめ設定しておいた機器に転送されるので、その機器により、登録しておいたメッセージを見ることができ、スケジュールの内容を守ることができる。
【００４７】
さらに、テレビ受像機１０の電源がオフであっても、設定した時刻になったとき、電源をオンにしてメッセージを表示することもできる。
【００４８】
この明細書で使用している略語の一覧
ＣＰＵ  ：Central Processing Unit
ＣＲＴ  ：Cathode Ray Tube；陰極線管
ＤＴＭＦ：Dual Tone Multiple Frequency
ＩＳＰ  ：Internet Service Provider ；インターネットプロバイダ
ＲＡＭ  ：Random Access Memory；ラム
ＲＯＭ  ：Read Only Memory；ロム
【００４９】
【発明の効果】
この発明によれば、テレビ受像機にメッセージを登録しておくと、あらかじめ設定した時刻になったとき、そのメッセージをテレビ受像機に表示することができる。
【００５０】
また、ユーザが、テレビ受像機に登録しておいたメッセージを、設定しておいた時刻に見ることができない場所にいるときでも、そのメッセージがあらかじめ設定しておいた機器に転送されるので、その機器により、登録しておいたメッセージを見ることができ、スケジュールの内容を守ることができる。さらに、テレビ受像機の電源がオフであっても、設定した時刻になったとき、電源をオンにしてメッセージを表示することもできる。
【図面の簡単な説明】
【図１】この発明の一形態を示す系統図である。
【図２】この発明の一形態を示すフローチャートである。
【図３】この発明を説明するためのネットワークシステムの図である。
【図４】表示画面の例を示す図である。
【図５】表示画面の例を示す図である。
【符号の説明】
１０…テレビ受像機、１１…アンテナ、１２…受信回路、１３…ビデオ回路、１４…ＣＲＴ、２１…マイクロコンピュータ、２２…リモコンの受信回路、２３…入力操作手段、２９…リモコンの送信機、３１…不揮発性メモリ、３２…時計回路、３３…モデム、４０…公衆回線網、５１…ページャー、５２…携帯電話、６０…ＩＳＰ、７０…インターネット、８０…企業、８１…メインサーバー、８２…メールサーバー、８３…パーソナルコンピュータ、１００…メッセージ表示通知ルーチン
【図１】
0004292356.tif 000002
【図２】
0004292356.tif 000003
【図３】
0004292356.tif 000004
【図４】
0004292356.tif 000005
【図５】
0004292356.tif 000006